(57)【要約】【課題】枠組足場のレベル計測において、スケールや木材を使用する際オートレベルでの計測は引っ掛けたスケールが外れたりして時間のロスがあり、レーザーレベル計測においても一端に釘を打った木材をぶら下げて子器を固定する方法はレーザーが正確に反応せず正確な計測が出来ず時間のロスもある。【解決手段】オートレベルにおいては、角材本体アーム（１）の側面の目盛りを基準に計測しレベル計測部材（２）の上部を目盛りにセットし、固定部材（Ｂ）で固定し計測を行う事が出来る。レーザーレベルはアーム本体に子器を固定して計測し、鋼管掛け（A）を軸にアームが３６０度回転するのでレーザーに正確に反応する事が出来る。【選択図】  図１
2004204444.tif 000002
【特許請求の範囲】
【請求項１】
角材本体アーム（１）と、この角材本体アームの外周をスライドして自由な高さで固定する事が出来る固定部材（Ｂ）を備えるレベル計測部材（２）が設けてあり、前記角材本体アーム（１）の一端部からは鋼管掛け（Ａ）を備える事を特徴とする枠組足場レベル計測棒。
【請求項２】
前記鋼管掛け（Ａ）の先端はアールが付いており、又３６０度回転する事を特徴とする請求項１記載の枠組足場レベル計測棒。
【請求項３】
前記角材本体アーム（１）の側面には目盛りを付してなる事を特徴とする請求項１又は２に記載の枠組足場レベル計測棒。
【発明の詳細な説明】
【０００１】
【発明が属する技術分野】
本発明は枠組足場組立てにおいて、オートレベルやレーザーレベルでのレベル計測の補助をするレベル計測器に関するものである。
【０００２】
【従来の技術】
従来、枠組足場組立てのレベル計測においてオートレベルの場合はスケールを枠（ビティ）の連結ピンに掛けてスケールの目盛りで計測を行っていた。又、レーザーレベルの場合は一端に釘を打った木材を枠（ビティ）の鋼管にぶら下げて、レーザーレベルの子器を木材に固定させて計測を行っていた。
【０００３】
特許文献１の実開平０７−１９４９２号公報の建築、構築物の組立足場は、枠組足場の枠（ビティ）の金属製菅体の外面長手方向に長さを示す目盛りを連続的に付設して、その目盛りを利用してレベル計測や根ガラミ単管やブラケットの取付けを行う仕組みになっている。要するに枠（ビティ）にスケールが付いているようなものであるので、枠組足場レベル計測棒とはレベル計測が出来るという事は同じであるがスケールでの計測方法と同じで、一定のレベル位置を固定させたりレーザーレベルでの計測は不可能である。枠組足場の枠（ビティ）の実用新案であるので、枠組足場レベル計測棒とは本来の形態、用途は別のものと考えられるようである。
特許文献２の実開昭５８−７７４１１号公報の水平儀取付け装置は、水平儀（レベル、オートレベル等）を三脚を使用せず建築足場に台部を取付けて、その台部に水平儀を取付けてレベル計測を行うための装置であるので枠組足場レベル計測棒とは用途が異なる事が分かる。
特許文献３の実開昭６２−１０６１０８号公報の配管レベル計測装置は、原子力プラント配管の芯出しに適用する計測装置を遠隔操作しレーザーマーキングの移動量をエンコーダを介して計測する事により、原子力既設プラントでの被ばく低減に効果があり、開口部、高所配管の計測では足場の設置及び高所作業をしなくてもよいという利点がある。この装置はレベル計測をする本体装置で、枠組足場レベル計測棒のようにレベル計測の補助をするという用途とは異なるようである。
【０００４】
【特許文献１】
実開平０７−１９４９２号公報
【特許文献２】
実開昭５８−７７４１１号公報
【特許文献３】
実開昭６２−１０６１０８号公報
【０００５】
【発明が解決しようとする課題】
上記の特許文献を詳細に調査した結果、枠組足場レベル計測棒とは形態も用途も異なるため、レベル計測を行う事は困難であり先行技術文献に相当しないようである。
【０００６】
しかしながら先行文献に相当しないとはいえ、従来のオートレベルでのスケールの計測は枠（ビティ）の連結ピンの引っ掛けたスケールが外れたりする時間のロスが生じたり、又レーザーレベルでの計測では一端に釘を打ち枠にぶら下げた木材に子器を固定しているため、全ての角度にレーザーが反応せず正確なレベル計測が出来ず、手間も掛かる。
【課題を解決するための手段】
スケールや加工した木材を使用する場合のロスや欠点を解決するために本発明品は、角材本体アーム（１）と、この角材本体アームの外周をスライドして自由な高さで固定可能とする固定部材（Ｂ）を備えるレベル計測部材（２）が設けてあり、角材本体アーム（１）の一端部からは鋼管掛け（A）が備えてあり、その鋼管掛け（A）は３６０度回転し本体を自由な角度に向ける事が可能である。又、角材本体アーム（１）の側面には目盛りを付してあるのでオートレベル（３）の計測において、その目盛りにレベル計測部材（２）を固定部材（B）で固定する事によって早く正確にレベルを計測する事が出来るのである。レーザーレベル（４）の計測においても子器（５）を枠組足場レベル計測棒本体にレベルの高さで計測固定し、その固定した角材本体アーム（１）と子器（５）がどの角度にも向ける事が可能であるため、子器（５）が正確にレーザーに反応する事が出来る事からも本発明品は作業性に優れ枠組足場のレベル計測を著しく高めるのである。
【０００７】
【発明の実施の形態】
次に図面を参照しながら、この発明の枠組足場レベル計測棒に係る実施の形態について詳細に説明する。
【０００８】
図１は枠組足場レベル計測棒の形態図である。角材本体アーム（１）と、この角材本体アームの外周をスライドするレベル計測部材（２）を自由な高さで固定可能とする固定部材（B）が設けてあり、角材本体アーム（１）に付した目盛りに合わせて正確に固定する事ができる。鋼管掛け（A）は枠（ビティ）の鋼管の直径（４２．７mm）に合わせてアールを付けており、又３６０度回転する特徴を備えている。図２はその鋼管掛け（A）の形態図であるが、角材本体アーム（１）の内部に収まった鋼管掛け（A）本体を止め部材（A１，A２）が、ふた（A３）の内と外で数ミリの遊びを持ち固定されているので鋼管掛け（A）が自由に回転する仕組みになっている。図３は角材本体アーム（１）の外周をスライドするレベル計測部材（２）の形態図である。固定部材（Ｂ）を緩めるとスライドが可能となり、角材本体アーム（１）に付してある目盛りに合わせて締める事によって、正確に固定する事が出来るのである。
【０００９】
図４はオートレベル（３）の形態図である。レベル計測を行うための精密機器で計測したい箇所に方向とピントを合わせて計測を行う事が出来るのである。図５はレーザーレベル（４）の形態図であるが、オートレベル（３）とは異なり本体内部が回転しながらレーザーを発しレベル計測を行うので人が方向やピントを合わせる必要が無く、図６の子器（５）がレベル位置に合うと発信音で知らせレベルを計測できる仕組みになっている。図７はその子器（５）の裏面の固定部材の形態図であるが、角材本体アーム（１）を固定部材で固定し、その固定した枠組足場レベル計測棒を使用する事によりレベル計測が可能になるのである。
【００１０】
以上の説明を踏まえて図８の枠組足場レベル計測棒の実施方法の説明だが、まずオートレベル（３）での計測方法で図８の右側の枠（６）に枠組足場レベル計測棒を図のようにぶら下げ、オートレベル（３）で角材本体アーム（１）に付してある目盛りを計測し、その計測した数字をレベル計測部材（２）の上部に合わせ固定部材（Ｂ）を締める事により計測したいレベルが決まり、そのレベルの決まった枠組足場レベル計測棒を連続して使用しジャッキ（７）を調整すればレベル計測を早く正確に行う事が出来るのである。レーザーレベル（４）での計測は図８の左側の枠（６）に枠組足場レベル計測棒を図のように鋼管掛け（A）でぶら下げ、レーザーレベル（４）で反応した位置に子器（５）を固定しジャッキ（７）を調整しながら連続して計測する事によって枠組足場のレベル計測を行う事が出来るのである。又レーザーレベル（４）での計測はレーザーが反応するように子器（５）をレーザーレベル（４）本体の方向に向けないと計測出来ないのだが、上記で説明したように鋼管掛け（A）が３６０度回転する特徴がある事から枠組足場レベル計測棒本体を自由な方向に向ける事が出来、従来の木材を使用した計測とは異なり枠組足場のレベル計測の技術を著しく高めるのである。
【００１１】
【発明の効果】
スケールや一端に釘を打った木材を使用して計測すると引っ掛けたスケールが外れたり、また木材では正確に計測できず手間も掛かる。しかしこの枠組足場レベル計測棒を使用する事により、枠組足場のレベル計測がより早く正確に行う事が出来る枠組足場レベル計測棒を提供する事が出来るようになった。
【図面の簡単な説明】
【図１】枠組足場レベル計測棒の形態図である。
【図２】枠組足場レベル計測棒の鋼管掛けの形態図である。
【図３】枠組足場レベル計測棒のレベル固定部材の形態図である。
【図４】オートレベルの形態図である。
【図５】レーザーレベルの形態図である。
【図６】レーザーレベルの子器の形態図である。
【図７】レーザーレベルの子器裏面の固定部材の形態図である。
【図８】枠組足場レベル計測棒の実施方法の説明である。
【符号の説明】
A…鋼管掛け．Ｂ…固定部材．A１…止め部材．A２…止め部材．A３…ふた．１…角材本体アーム．２…レベル計測部材．３…オートレベル．４…レーザーレベル．５…子器．６…枠（ビティ）．７…ジャッキ
【図１】
2004204444.tif 000003
【図２】
2004204444.tif 000004
【図３】
2004204444.tif 000005
【図４】
2004204444.tif 000006
【図５】
2004204444.tif 000007
【図６】
2004204444.tif 000008
【図７】
2004204444.tif 000009
【図８】
2004204444.tif 000010